(57)【要約】【課題】  パレットボックス単独でも、底板を任意の開閉位置で固定保持し、収容物の排出量を調節可能にする。【解決手段】  上部開口２ａ及び底部開口２ｂを有するボックス体２と、底部開口２ｂを開閉する回動自在な底板３とを備え、該底板３を閉じた状態でボックス体２に収容した収容物を、底板３の開放操作に応じて底部開口２ｂから排出するボックスパレット１であって、該ボックスパレット１に、人力操作に応じて底板３を開閉動作させる底板開閉操作手段と、底板３を任意の開閉位置で固定保持する底板固定保持手段とを設ける。【選択図】        図６
2005162218.tif 000002
【特許請求の範囲】
【請求項１】
上部開口及び底部開口を有するボックス体と、前記底部開口を開閉する回動自在な底板とを備え、該底板を閉じた状態で前記ボックス体に収容した収容物を、前記底板の開放操作に応じて前記底部開口から排出するボックスパレットであって、該ボックスパレットに、人力操作に応じて前記底板を開閉動作させる底板開閉操作手段と、前記底板を任意の開閉位置で固定保持する底板固定保持手段とを設けたことを特徴とするボックスパレット。
【請求項２】
前記底板開閉操作手段は、前記ボックス体に設けられる手動ウインチであり、該手動ウインチが、ワイヤを介して前記底板を吊持すると共に、人力操作に応じて前記ワイヤの巻き取り及び繰り出しを行うことを特徴とする請求項１記載のボックスパレット。
【請求項３】
前記底板固定保持手段は、前記手動ウインチに設けられるブレーキ機構であることを特徴とする請求項１又は２記載のボックスパレット。
【請求項４】
前記底板には、ボックスパレット設置面との接当により、前記底板を閉鎖位置に固定保持する脚部が設けられることを特徴とする請求項１〜３のいずれかに記載のボックスパレット。
【請求項５】
前記ボックス体には、前記底板に対して係脱自在なストッパが設けられ、該ストッパとの係合により、前記底板が閉鎖位置に固定保持されることを特徴とする請求項１〜４のいずれかに記載のボックスパレット。
【請求項６】
前記ボックス体の上部に吊り上げ用のフックを設けると共に、前記ボックス体を積み重ね自在に構成し、上側に積み重ねられたボックス体の横ずれを、下側ボックス体のフックで規制するにあたり、前記フックには、上側ボックス体を積み重ねるとき、上側ボックス体を位置決めガイドする傾斜ガイド部が形成されていることを特徴とする請求項１〜５のいずれかに記載のボックスパレット。
【発明の詳細な説明】
【技術分野】
【０００１】
本発明は、廃棄物、リサイクル資材などの運搬や保管に使用されるボックスパレットに関する。
【背景技術】
【０００２】
廃棄物、リサイクル資材などの運搬や保管に使用されるボックスパレットが知られている。この種のボックスパレットは、上部開口及び底部開口を有するボックス体と、底部開口を開閉する回動自在な底板とを備えており、底板を閉じた状態でボックス体に収容された収容物を、底板の開放操作に応じて底部開口から排出するように構成されている（特許文献１参照）。
【０００３】
しかしながら、従来のボックスパレットは、底板をストッパのみで閉鎖位置に係止し、このストッパを係止解除操作すると、底板が一気に全開位置まで開放動作するように構成されていたため、収容物の排出量を任意に調節できないだけでなく、一気に排出された収容物の荷重によって、収容物の処理装置（破砕装置など）が破損する可能性があった。
【０００４】
そこで、収容物の排出量を任意に調節可能なボックスパレットが提案されている（特許文献２参照）。例えば、特許文献２に示されるボックスパレットでは、底板に連繋される支持軸の両端部をボックス体から突出させ、支持軸の両端部をホッパの縁部に係合させながら、ボックスパレットを上げ下げすることにより、底板の開閉位置を変更して、底部開口の開口率を調節するようにしてある。
【特許文献１】特開平７−７６４０１号公報
【特許文献２】特開平１０−１０１０９１号公報
【発明の開示】
【発明が解決しようとする課題】
【０００５】
しかしながら、特許文献２に示されるボックスパレットは、内容物を排出する際に、ボックス幅（支持軸長さ）に対応したホッパが必要であるため、パレットボックス単独では、底板の開放操作すらできず、その用途が限定されるという問題がある。
【課題を解決するための手段】
【０００６】
本発明は、上記の如き実情に鑑みこれらの課題を解決することを目的として創作されたものであって、上部開口及び底部開口を有するボックス体と、前記底部開口を開閉する回動自在な底板とを備え、該底板を閉じた状態で前記ボックス体に収容した収容物を、前記底板の開放操作に応じて前記底部開口から排出するボックスパレットであって、該ボックスパレットに、人力操作に応じて前記底板を開閉動作させる底板開閉操作手段と、前記底板を任意の開閉位置で固定保持する底板固定保持手段とを設けたことを特徴とする。このようにすると、ボックスパレット自身が底板開閉操作手段及び底板固定保持手段を備えるため、パレットボックス単独でも、底板の開閉操作が可能になるだけでなく、底板を任意の開閉位置で固定保持し、収容物の排出量を調節することができる。これにより、特定の収容物や処理方法に限定されない汎用性の高いボックスパレットを提供することが可能になる。
また、前記底板開閉操作手段は、前記ボックス体に設けられる手動ウインチであり、該手動ウインチが、ワイヤを介して前記底板を吊持すると共に、人力操作に応じて前記ワイヤの巻き取り及び繰り出しを行うことを特徴とする。このようにすると、汎用の手動ウインチを利用して底板開閉操作手段を構成することができる。また、内容物の荷重に応じて手動ウインチを選定することにより、良好な開閉操作性を実現することができる。
また、前記底板固定保持手段は、前記手動ウインチに設けられるブレーキ機構であることを特徴とする。このようにすると、汎用のブレーキ付き手動ウインチを用いて底板開閉操作手段及び底板固定保持手段を構成することができる。なお、ブレーキ機構としては、摩擦ブレーキ機構、噛み合いクラッチ機構、ラチェット機構、ウォームギヤ機構などを用いることができる。
また、前記底板には、ボックスパレット設置面との接当により、前記底板を閉鎖位置に固定保持する脚部が設けられることを特徴とする。このようにすると、設置状態のボックスパレットにおいてワイヤの張りを弛めることができるので、ワイヤの伸びを防止できるだけでなく、ワイヤの寿命を延長することができる。
また、前記ボックス体には、前記底板に対して係脱自在なストッパが設けられ、該ストッパとの係合により、前記底板が閉鎖位置に固定保持されることを特徴とする。このようにすると、不測に底板が開放することを防止し、ボックスパレットの信頼性を高めることができる。
また、前記ボックス体の上部に吊り上げ用のフックを設けると共に、前記ボックス体を積み重ね自在に構成し、上側に積み重ねられたボックス体の横ずれを、下側ボックス体のフックで規制するにあたり、前記フックには、上側ボックス体を積み重ねるとき、上側ボックス体を位置決めガイドする傾斜ガイド部が形成されていることを特徴とする。このようにすると、吊り上げ用のフックを利用して、積み重ねたボックス体の横ずれを防止できるだけでなく、フックの傾斜ガイド部によって、ボックス体を容易かつ正確に積み重ねることができる。
【発明を実施するための最良の形態】
【０００７】
次に、本発明の実施の形態について、図面に基づいて説明する。図１〜図３に示すように、ボックスパレット１は、上部開口２ａ及び底部開口２ｂを有するボックス体２と、底部開口２ｂを開閉する回動自在な一対の底板３とを備える。廃棄物、リサイクル資材などの収容物をボックス体２に収容する場合は、底板３を閉じ、上部開口２ａから収容物を投入する。また、ボックス体２に収容した収容物を排出する場合は、底板３を開放操作し、底部開口２ｂから収容物を排出するが、これらの基本的な構成は従来のものと同様である。
【０００８】
ボックス体２は、四隅に立設される支柱４や、図示しないフレーム部材を枠組し、その内面又は内外面を鉄板などのパネル部材で覆って形成される。ボックス体２の正面壁上部及び背面壁上部には、それぞれ左右一対のフォーク差し込み孔２ｃが形成されており、これらのフォーク差し込み孔２ｃにフォークリフトのフォークを差し込むことにより、フォークリフトでボックスパレット１を持ち上げたり、移動させることが可能になる。また、各支柱４の上端部には、吊り上げ用のフック５が設けられており、これらのフック５に吊り上げ用のワイヤを掛けることにより、クレーンなどでボックスパレット１の吊り上げや移動を行うことが可能になる。
【０００９】
支柱４は、水平断面コ字状のチャンネルを用いて構成され、チャンネルの開口が外方を向くように枠組みされている。フック５は、その基端側が支柱４の内周面に溶着され、先端側が支柱４の上端から突出するようにしてある。このようにフック５を設けると、ボックス体２を積み重ねたとき、上側ボックス体２の支柱４にフック５が係合し、上側ボックス体２の横ずれを規制することが可能になる。また、本実施形態では、フック５の先端側を外方へ曲げることにより、傾斜ガイド部５ａを形成している。この傾斜ガイド部５ａは、上側ボックス体２を積み重ねるとき、上側ボックス体２の位置決めガイドとして作用するため、ボックス体２を容易かつ正確に積み重ねることが可能になる。
【００１０】
一対の底板３は、ボックス体２と同様に、図示しないフレーム部材を枠組し、その上面を鉄板などのパネル部材で覆って形成される。各底板３の外端部には、左右方向に所定間隔を存して複数のボス部３ａが形成されており、これらのボス部３ａをボックス体２側のボス部２ｄと直列状に芯合せし、シャフト６を挿通することにより、底板３の一端部がボックス体２に対して上下回動自在に結合される。
【００１１】
ボックス体２の一側面部には、ブレーキ付きの手動ウインチ７が設けられ、カバー８で覆われている。この手動ウインチ７は、側面視コ字状のウインチフレーム９と、該ウインチフレーム９に回転自在に支持されるリール１０と、ハンドル１１の操作力を減速してリール１０を回転させ、かつ、非操作時にリール１０の回転を制動する減速・ブレーキ部１２とを備えて構成されている。なお、減速・ブレーキ部１２に内装される減速機構としては、平歯ギヤ機構、ウォームギヤ機構などを用いることができる。また、ブレーキ機構としては、摩擦ブレーキ機構、噛み合いクラッチ機構、ラチェット機構、ウォームギヤ機構などを用いることができる。
【００１２】
手動ウインチ７のリール１０は、ワイヤ１３、１４を介して、一対の底板３を吊持している。そして、手動ウインチ７のハンドル１１を繰り出し方向に回し操作すると、リール１０がワイヤ繰り出し方向に回転し、ワイヤ１３、１４の繰り出しに伴って底板３が開放方向に回動される。また、ハンドル１１を巻き取り方向に回し操作すると、リール１０がワイヤ巻き取り方向に回転し、ワイヤ１３、１４の巻き取りに伴って底板３が閉鎖方向に回動される。これにより、ボックスパレット単独でも、人力操作で底板３を開閉操作し、ボックス体２から収容物を排出することが可能になる。
【００１３】
また、底板３が任意の開閉位置まで回動した状態でハンドル操作をやめると、減速・ブレーキ部１２に内装されるブレーキ機構によってリール１０の回転が制動される。これにより、ボックスパレット単独でも、底板３を任意の開閉位置で固定保持し、収容物の排出量を調節することが可能になる。
【００１４】
一方のワイヤ１３は、リール１０からボックス体２の左側壁内に延出し、二本に分岐されている。分岐された各ワイヤ１３は、ボックス体２の左側壁上部に内装される一対の滑車１５にそれぞれ上側から掛け回され、ここから下方へ垂下している。そして、各滑車１５から垂下する各ワイヤ１３の先端側を、各底板３の左側面に突設した滑車１６にそれぞれ連結することにより、各底板３の左側先端部が吊持される。
【００１５】
また、他方のワイヤ１４は、左右の背面側支柱４に内装される滑車１７、１８に掛け回すことにより、リール１０からボックス体２の背面壁内を通って右側面壁内に延出されている。右側面壁内に延出したワイヤ１４は、ボックス体２の右側壁下部に内装される滑車１９に下側から掛け回され、その先で二本に分岐されている。分岐された各ワイヤ１４は、ボックス体２の右側壁上部に内装される一対の滑車２０にそれぞれ上側から掛け回され、ここから下方へ垂下している。そして、各滑車２０から垂下する各ワイヤ１４の先端側を、各底板３の右側面に突設した滑車２１にそれぞれ連結することにより、各底板３の右側先端部が吊持される。このようにワイヤ１３、１４を配索すると、底板３の吊り荷重が分散されるので、滑車１５、２０などに作用する底板荷重が軽減され、底板３を円滑に開閉動作させることが可能になる。
【００１６】
ところで、上記のようにワイヤ１３、１４で底板３を吊持する構成とした場合、底板３の荷重がワイヤ１３、１４に常に作用し、ワイヤ１３、１４の伸び変形などが懸念される。そこで、本実施形態では、ボックスパレット１を設置したとき、各底板３をパレットボックス設置面で接当支持すべく、各底板３の下面に脚部２２を突設している。これにより、通常時は、底板３を閉鎖位置に固定保持し、ワイヤ１３、１４の張りを弛めることができるので、ワイヤ１３、１４の伸びを防止できるだけでなく、ワイヤ１３、１４の寿命を延長することが可能になる。
【００１７】
また、本実施形態のボックスパレット１は、底板３が不測に開放しないように、ストッパ２３を備えている。このストッパ２３は、平面視コ字状に形成されており、ボックス体２の側壁から下方に突設する複数のプレート２４で左右方向スライド操作自在に支持されている。そして、底板３が閉鎖した状態でストッパ２３を押し込み方向にスライド操作すると、ストッパ２３の先端側が底板３の下面に係合し、底板３の開放を規制することが可能になる。また、ストッパ２３を引き抜き方向にスライド操作すると、ストッパ２３の先端側が底板３の下方から退避し、底板３の開放が許容される。
【００１８】
叙述の如く構成された本実施形態のボックスパレット１は、上部開口２ａ及び底部開口２ｂを有するボックス体２と、底部開口２ｂを開閉する回動自在な底板３とを備え、該底板３を閉じた状態でボックス体２に収容した収容物を、底板３の開放操作に応じて底部開口２ｂから排出するように構成されるものであるが、さらに、ボックスパレット１は、人力操作に応じて底板３を開閉動作させる底板開閉操作手段と、底板３を任意の開閉位置で固定保持する底板固定保持手段とを備えるため、パレットボックス単独でも、底板３の開閉操作が可能になるだけでなく、底板３を任意の開閉位置で固定保持し、収容物の排出量を調節することが可能になる。これにより、特定の収容物や処理方法に限定されない汎用性の高いボックスパレット１を提供することができる。
【００１９】
また、本実施形態の底板開閉操作手段は、ボックス体２に設けられる手動ウインチ７であり、該手動ウインチ７が、ワイヤ１３、１４を介して底板３を吊持すると共に、人力操作に応じてワイヤ１３、１４の巻き取り及び繰り出しを行うようにしたので、汎用の手動ウインチを利用して底板開閉操作手段を構成することが可能になる。また、内容物の荷重に応じて手動ウインチを選定することにより、良好な開閉操作性を実現することができる。
【００２０】
また、本実施形態の底板固定保持手段は、手動ウインチ７に設けられるブレーキ機構であるため、汎用のブレーキ付き手動ウインチを用いて底板開閉操作手段及び底板固定保持手段を構成することができる。
【００２１】
また、底板３には、ボックスパレット設置面との接当により、底板３を閉鎖位置に固定保持する脚部２２が設けられるため、設置状態のボックスパレット１において、ワイヤ１３、１４の張りを弛めることが可能になり、その結果、ワイヤ１３、１４の伸びを防止できるだけでなく、ワイヤ１３、１４の寿命を延長することができる。
【００２２】
また、ボックス体２には、底板３に対して係脱自在なストッパ２３が設けられ、該ストッパ２３との係合により、底板３が閉鎖位置に固定保持されるようにしたので、不測に底板３が開放することを防止し、ボックスパレット１の信頼性を高めることができる。
【００２３】
また、ボックス体２の上部に吊り上げ用のフック５を設けると共に、ボックス体２を積み重ね自在に構成し、上側に積み重ねられたボックス体２の横ずれを、下側ボックス体２のフック５で規制するにあたり、フック５には、上側ボックス体２を積み重ねるとき、上側ボックス体２を位置決めガイドする傾斜ガイド部５ａを形成したので、フック５を利用して、積み重ねたボックス体２の横ずれを防止できるだけでなく、フック５の傾斜ガイドにより、ボックス体２を容易かつ正確に積み重ねることが可能になる。
【００２４】
尚、本発明は、前記実施形態に限定されない。例えば、底板開閉操作手段は、ハンドルを回転操作するものに限らず、レバーの揺動操作に応じて底板を開閉させるものであってもよい。底板開閉操作機構と底板を連繋する部材としては、ワイヤに限らず、チェン、ロープ、リンク機構などを用いてもよい。
【図面の簡単な説明】
【００２５】
【図１】ボックスパレットの正面図である。
【図２】ボックスパレットの平面図である。
【図３】ボックスパレットの左側面図である。
【図４】ボックス体を積み重ねた状態を示す説明図である。
【図５】（Ａ）は手動ウインチの正面図、（Ｂ）は側面図である。
【図６】ワイヤの配索を示す内部左側面図である。
【図７】ワイヤの配索を示す内部右側面図である。
【図８】ワイヤの配索を示す内部背面図である。
【符号の説明】
【００２６】
１    ボックスパレット
２    ボックス体
２ａ  上部開口
２ｂ  底部開口
３    底板
４    支柱
５    フック
５ａ  傾斜ガイド部
７    手動ウインチ
１０  リール
１１  ハンドル
１２  減速・ブレーキ部
１３、１４  ワイヤ
１５〜２１  滑車
２２  脚部
２３  ストッパ
【図１】
2005162218.tif 000003
【図２】
2005162218.tif 000004
【図３】
2005162218.tif 000005
【図４】
2005162218.tif 000006
【図５】
2005162218.tif 000007
【図６】
2005162218.tif 000008
【図７】
2005162218.tif 000009
【図８】
2005162218.tif 000010